(57)【要約】      （修正有）【課題】一人で設置および収容をすることができ、もつれにくいトレーニングラダーを提供する。【解決手段】細長い板状部材の中央部付近に長手方向の移動を規制しうる係合部が形成された複数の板状部材と、複数の板状部材の一方の端同士を順に接続するロープ、および複数の板状部材の他方の端同士を一方の端同士の接続と同じ順に接続するロープと、板状部材の係合部に係合し、複数の板状部材を同じ方向に積み重ねて収容しうる収容部とを有する収納器具とからなる。また、収納器具の収容部が収容される板状部材の長手方向に直角な断面がＵ字形状であり、収納器具が収容部と一定の距離を保って、複数の板状部材を積み重ねる方向にほぼ平行な支持台を有する。さらに、支持台が、複数の板状部材を積み重ねる方向を垂直にした状態で、収容部を支えることができる。【選択図】図６
0003109885.tif 000002
【実用新案登録請求の範囲】
【請求項１】
細長い板状部材の中央部付近に該板状部材の長手方向の移動を規制しうる係合部が形成された複数の板状部材と、
前記複数の板状部材の一方の端同士を順に接続するロープ、および前記複数の板状部材の他方の端同士を前記一方の端同士の接続と同じ順に接続するロープと、
前記板状部材の係合部に係合し、前記複数の板状部材を同じ方向に積み重ねて収容しうる収容部とを有する収納器具とからなるトレーニングラダー。
【請求項２】
前記収納器具の収容部が収容される前記板状部材の長手方向に直角な断面がＵ字形状であり、前記収納器具が前記収容部と一定の距離を保って、前記複数の板状部材を積み重ねる方向にほぼ平行な支持台を有する請求項１記載のトレーニングラダー。
【請求項３】
前記支持台が、前記複数の板状部材を積み重ねる方向を垂直にした状態で、収容部を支えることができる請求項２記載のトレーニングラダー。
【請求項４】
前記板状部材の係合部が、該板状部材の中央部に形成された切欠きである請求項１記載のトレーニングラダー。
【請求項５】
前記板状部材の係合部が、該板状部材の中央部に形成された突起である請求項１記載のトレーニングラダー。
【考案の詳細な説明】
【技術分野】
【０００１】
本考案はトレーニングラダーに関する。さらに詳しくはトレーニングラダーとその収納器具に関する。
【背景技術】
【０００２】
スポーツを安全に行ない、また基礎体力を向上するためにトレーニングを行なうことが必要である。トレーニングの中でも速さを養うトレーニングには、Ｓ＝スピード（走るときの最高速度の能力）、Ａ＝アジリティ（敏捷性：左右の速い移動）、Ｑ＝クイックネス（素早さ：静止からの速い反応と動作）が速さをつくる３要素といわれ、ＳＡＱを養うためのトレーニング法（ＳＡＱトレーニング）が開発されている。ＳＡＱトレーニングの代表的な方法として、ラダートレーニングがある。ラダートレーニングは、図１に示すようなマス目のあるはしご状のトレーニング器具（トレーニングラダー）を地面に敷いて、マス目をさまざまなステップやフットワークを使って素早く動く神経系のトレーニングである。ラダートレーニングはサッカー、バドミントン、バスケットボールなどあらゆるスポーツのトレーニング法として取り入れられている。
【０００３】
トレーニングラダーは収納や設置に便利なように、複数のバーとそれをはしご状に接続するロープからなる。しかし、ロープをたたんだ状態から地面にはしご状に広げるには、両端をもって引っ張ることが必要で、通常は二人以上で設置作業を行わなければならない。また、ロープがもつれたり、途中でロープとバーが引っかかったりすることがある。
【考案の開示】
【考案が解決しようとする課題】
【０００４】
従来のトレーニングラダーは、板状部材を接続しているロープをたたんで収納する場合にロープがもつれることがあり、また広げて地面に設置するためには両端から引かなければならないので、一人で設置することが困難であった。
【０００５】
本考案は、一人で設置および収納をすることができ、もつれにくいトレーニングラダーを提供することを目的とする。
【課題を解決するための手段】
【０００６】
本考案のトレーニングラダーは、細長い板状部材の中央部付近に該板状部材の長手方向の移動を規制しうる係合部が形成された複数の板状部材と、前記複数の板状部材の一方の端同士を順に接続するロープ、および前記複数の板状部材の他方の端同士を前記一方の端同士の接続と同じ順に接続するロープと、前記板状部材の係合部に係合し、前記複数の板状部材を同じ方向に積み重ねて収容しうる収容部とを有する収納器具とからなることを特徴とする。
【０００７】
また、本考案のトレーニングラダーは、前記収納器具の収容部が収容される前記板状部材の長手方向に直角な断面がＵ字形状であり、前記収納器具が前記収容部と一定の距離を保って、前記複数の板状部材を積み重ねる方向にほぼ平行な支持台を有することを特徴とする。
【０００８】
さらに、本考案のトレーニングラダーは、前記支持台が、前記複数の板状部材を積み重ねる方向を垂直にした状態で、収容部を支えることができることを特徴とする。
【０００９】
本考案のトレーニングラダーは、前記板状部材の係合部が、該板状部材の中央部に形成された切欠きであることを特徴とする。
【００１０】
また、本考案のトレーニングラダーは、前記板状部材の係合部が、該板状部材の中央部に形成された突起であってもよい。
【考案の効果】
【００１１】
本考案のトレーニングラダーは、自立式の収納器具により、容易に一人で設置することができる。また、自立式の収納器具から順に板状部材を引き出すことができるのでトレーニングラダーがもつれることがない。さらに、収容する場合には収納器具の向きを変えて自立させることができ、板状部材を順に収納器具に積み重ねることができるので、トレーニングラダーを一人で簡単に収容することができる。
【考案を実施するための最良の形態】
【００１２】
以下、図を参照して本考案の一実施の形態について詳細に説明する。
【００１３】
図１は、本考案の一実施の形態にかかわるトレーニングラダー１を地面に設置した状態を示す斜視図である。図２は本考案の一実施の形態にかかわるトレーニングラダー１の収納器具３を示す斜視図である。図３は、本考案の一実施の形態にかかわるトレーニングラダー１の１つの板状部材６を示す平面図である。図４は、図３に示す板状部材６のロープ接続部を示すＡ−Ａ線断面図である。図５は図３に示す板状部材６にロープ７を通した状態を示す断面図である。
【００１４】
トレーニングラダー１は図１に示すように、地面に置かれたトレーニングラダー本体２のマス目をさまざまなステップやフットワークを使って移動することにより、トレーニングを行なうものである。トレーニングラダー１は複数の板状部材６とその両端を同じ順に接続する２本のロープ７からなるトレーニングラダー本体２、および複数の板状部材６を収容する収納器具３とからなる。なお、本実施の形態のトレーニングラダー１は、１つのマス目が１辺が約５０ｃｍのほぼ正方形をなしている。
【００１５】
つぎに、図２〜５を参照して、本考案の一実施の形態にかかわるトレーニングラダー１の構造を説明する。
【００１６】
本実施の形態の収納器具３は、太さ約５ｍｍの鋼線材を折り曲げて図２のように成形したものである。収容部４は挿入口４ａである上面と両側面があいており、板状部材６を上から挿入して積み重ねることができる。収容される板状部材６の長手方向に直角な収容部４の断面はほぼＵ字形状である。収容部４に板状部材６を積み重ねる方向とほぼ平行に収納器具３を支えるために、支持台５が収容部４から一定の距離を保って収容部４につながっている。また、支持台５は収容部４の板状部材６を収める底面側の端の幅が広くなった幅広部５ａを有する台形をしており、収容部４に板状部材６を積み重ねる方向を垂直にして収納器具３を支えることができる。
【００１７】
本実施の形態の板状部材６は図３に示すように板状部材６からなり、収容部４の幅にちょうどはまる係合部である切欠き６ａが形成されている。板状部材６の両端にはロープ７を通す２つの孔６ｂが形成されている。板状部材６の両端の孔６ｂ部の断面（図３のＡ−Ａ線断面）を図４に示す。ロープ７を通す２つの孔６ｂの両側で板状部材６が互い違いに肉厚が薄い薄肉部６ｃが形成されており、図５に示すように帯状のロープ７を孔６ｂに通した状態で帯状のロープ７が板状部材６の肉厚内に収まるので、トレーニングラダー本体２を地面に敷いたときに板状部材６やロープ７が浮き上がらないようになっている。また、板状部材６を積み重ねて収容したときに両端部が分厚くならない。ロープ７は２つの孔６ｂに通してあるだけであるが、ロープ７の張力がロープ７自身を板状部材６に押し付け、ロープ７と板状部材６の摩擦力があるので、板状部材６とロープ７が容易に相互に移動することはない。また、板状部材６の間隔がずれた場合は、板状部材６の厚さに直角な方向にロープ７を押したり引いたりすることによって板状部材６の位置を調節することができる。
【００１８】
本実施の形態では、板状部材６は軟質樹脂（ＴＰＲ）製であるが、ほかに合成ラバー、グラスファイバ強化プラスチック、中空アルミニウム合金などであってもよい。また、本実施の形態のロープ７は帯状に編まれたポリプロピレン（ＰＰ）製であるが、容易に切れたり延びたりしない適度な強度があり、しなやかで折りたたむことができる材質であればロープ７として用いることができる。ロープ７はトレーニング中に視認しやすいようにある程度の幅があるのが好ましく、また後述するように板状部材６を積み重ねて収容したときにかさばらないように薄い帯状であることが好ましい。
【００１９】
つぎに、本考案の実施の形態にかかわるトレーニングラダー１の作用を説明する。図６は、本実施の形態にかかわるトレーニングラダー本体２が収納器具３に収容される様子を示す斜視図である。図７は、本実施の形態にかかわるトレーニングラダー本体２が収納器具３に収容された状態を示す斜視図である。
【００２０】
トレーニングラダー本体２を収容するには、まず、収容部４の板状部材６を積み重ねる方向が垂直になるように収納器具３を立てて、敷いてあるトレーニングラダー本体２の長手方向の延長上に置く。つぎに、収納器具３に近い板状部材６から順に、板状部材６を１つずつ持って板状部材６の切欠き６ａ（係合部）が収容部４に係合するように収容部４に挿入して積み重ねる（図６）。すべての板状部材６を収容部４に積み重ねたのち、収容部４の挿入口４ａをひも１０で縛って板状部材６が抜けないようにする（図７）。板状部材６の中央に形成された切欠き６ａが収容部４に係合するので、板状部材６は長手方向の移動が規制され、収容部４から抜け落ちることがない。
【００２１】
図８は、本実施の形態にかかわるトレーニングラダー本体２を設置する様子を示す斜視図である。トレーニングラダー本体２を設置するには、板状部材６を積み重ねた方向が水平でかつトレーニングラダー本体２を設置する長手方向になるように、支持台５を下にして板状部材６を収容した収納器具３をトレーニングラダー本体２を設置する場所の端の地面に置く。つぎに、収容部４の挿入口４ａに縛ってあったひも１０をほどいて挿入口４ａを開け、挿入口４ａに最も近い板状部材６を持ってトレーニングラダー本体２を引き出す。支持台５によって収容部４が地面から距離を保って支持されているので、折りたたまれたロープ７が伸張するための余裕がある。板状部材６はロープ７によって両端が順に接続されているので、板状部材６は順に引き出され、はしご状のマス目を形成する。すべての板状部材６が引き出されたのちに、持っていた板状部材６を地面において設置が完了する（図１参照）。
【００２２】
なお、板状部材６を収納器具３から引き出すときに収納器具３が滑りにくいように、支持台５に合成ゴムなどのチューブを被せておいてもよい。
【００２３】
図９はトレーニングラダー本体２のロープ７同士を接続する部分を表わした図である。図９に示すように、ロープ７の端にはインジェクタ８とレセプタ９が縫い付けられている。インジェクタ８とレセプタ９は市販のプラスチック製のものを使用している。インジェクタ８をレセプタ９に挿入すると、インジェクタ８に形成された付勢部の先の突起（図示せず）が、レセプタ９に形成された溝または穴（図示せず）に係合し、ロープ７同士が接続される。ロープ７同士を接続して、目的にあわせてトレーニングラダー本体２を長くして使用することができる。インジェクタ８の付勢押さえ部（図示せず）を押して突起を溝または穴からはずせば、インジェクタ８をレセプタ９から抜いて、接続されたロープ７を切り離すことができる。板状部材６を積み重ねた高さが収容部４の深さになるまで、ロープ７を接続した状態のままトレーニングラダー本体２を収納器具３に収容することができる。
【００２４】
本実施の形態では、板状部材６を収容部４に収容したときに、板状部材６の長手方向に移動しないように規制するための係合手段として、板状部材６の中央に切欠き６ａを形成したが、係合手段としては、切欠き６ａに限定されるものではなく、たとえば図１０に示すように、突起６ｄ（図１０（ａ））、収容部４を形成する鋼線材に合わせた２つの切欠き６ａ（図１０（ｂ））、または切欠き６ａと突起６ｄの組み合わせ（図１０（ｃ））などであってよい。要するに、板状部材６が収容部４から抜けないように規制することができればよい。
【００２５】
さらに、本実施の形態では、鋼線材を折り曲げて収納器具３を形成したが、本考案の収納器具３は鋼線材で形成したものに限定されるものではなく、たとえば金属または樹脂製の板材を帯状に切断したものを折り曲げて形成してもよい。その場合、支持台５に相当する部分は収納器具３を立てられるように台形に形成するのが好ましい。
【００２６】
本実施の形態にかかわる収納器具３は支持台５と収容部４との間に空間があり、挿入口４ａの反対側があいているので、壁面に取り付けた棒などに支持台５をフックとして掛けておくことができる。また、支持台部分を持って運搬できるので持ち運びにも便利である。
【図面の簡単な説明】
【００２７】
【図１】本発明の実施の形態にかかわるトレーニングラダーを地面に広げた状態を示す斜視図である。
【図２】本発明の実施の形態にかかわるトレーニングラダーの収容部を示す斜視図である。
【図３】本発明の実施の形態にかかわるトレーニングラダーの板状部材の１つを示す図である。
【図４】図３の板のＡ−Ａ線断面を示す図である。
【図５】図３の板にロープを通した状態を示す断面図である。
【図６】本発明の実施の形態にかかわるトレーニングラダーの板状部材を収容する様子を示す斜視図である。
【図７】本発明の実施の形態にかかわるトレーニングラダーの板状部材を収容した状態を示す斜視図である。
【図８】本発明の実施の形態にかかわるトレーニングラダーを、設置する様子を示す斜視図である。
【図９】本発明の実施の形態にかかわるトレーニングラダーのロープの端部を示す平面図である。
【図１０】本発明の実施の形態にかかわるトレーニングラダーの板状部材の変形例を示す図である。
【符号の説明】
【００２８】
１    トレーニングラダー
２    トレーニングラダー本体
３    収納器具
４    収容部
４ａ  挿入口
５    支持台
５ａ  幅広部
６    板状部材
６ａ  切欠き
６ｂ  孔
６ｃ  薄肉部
６ｄ  突起
７    ロープ
８    インジェクタ
９    レセプタ
１０    ひも
【図１】
0003109885.tif 000003
【図２】
0003109885.tif 000004
【図３】
0003109885.tif 000005
【図４】
0003109885.tif 000006
【図５】
0003109885.tif 000007
【図６】
0003109885.tif 000008
【図７】
0003109885.tif 000009
【図８】
0003109885.tif 000010
【図９】
0003109885.tif 000011
【図１０】
0003109885.tif 000012